(57)【要約】【課題】袋本体への取り付け時に低温でシールして取り付けることができ、かつ、取り付け後に内容物を８０℃以上の温度で充填、密封しても熱変形しないスパウトを有する口栓付きの袋を提供することにある。【解決手段】外側用フィルムと内側用フィルムとを重ね合わせた二重フィルムからなり、周縁がシールされている袋本体の所定位置に、キャップとスパウトからなる口栓を取り付けた口栓付き袋において、該スパウトが、高密度ポリエチレン樹脂又は直鎖状低密度ポリエチレン樹脂からなる中空管部の袋本体側の下端の外周に外側に突出する取り付け部を連設し、さらにその上方の外周に少なくとも、雄ネジ部を連設した形状で、かつ、該取り付け部が、内容物と接する側が中空管部と同一の樹脂からなる高耐熱層で、前記高耐熱層の内容物と接する面の反対側面に低密度ポリエチレン樹脂からなる低温シール性層を所定幅で積層した二層構成のものからなる。【選択図】図１
2008143586.tif 000002
【特許請求の範囲】
【請求項１】
外側用フィルムと内側用フィルムとを重ね合わせた二重フィルムからなり、周縁がシールされている袋本体の所定位置に、キャップとスパウトからなる口栓を取り付けた口栓付き袋において、該スパウトが、高耐熱性樹脂からなる中空管部の袋本体側の下端の外周に外側に突出する取り付け部を連設し、さらにその上方の外周に少なくとも、外側に突出する雄ネジ部を連設した形状で、かつ、該取り付け部が、内容物と接する側が中空管部と同一の樹脂からなる高耐熱層で、前記高耐熱層の内容物と接する面の反対側面に低耐熱性樹脂からなる低温シール性層を所定幅で積層した二層構成のものからなることを特徴とする口栓付き袋。
【請求項２】
前記高耐熱性樹脂が直鎖状低密度ポリエチレン樹脂又は密度０．９４ｇ／ｃｍ3 以上の高密度ポリエチレン樹脂で、前記低耐熱性樹脂が低密度ポリエチレン樹脂であることを特徴とする請求項１記載の口栓付き袋。
【発明の詳細な説明】
【技術分野】
【０００１】
本発明はキャップとスパウトからなる口栓を取り付けた袋に関するものである。
【背景技術】
【０００２】
食品原料、飲料、乳製品、アルコール飲料、調味液などの食品類や、写真処理剤、床用ワックス、洗剤、トイレタリイ製品などの非食品類を内容量５〜２０リットル充填、密封する為の容器として、通常、バッグインボックスと呼ばれる包装形態が用いられている。そのバッグインボックスは、プラスチックフィルムからなる袋にキャップとスパウトからなる口栓を取り付けた内袋と、その内袋を外装する為のダンボール函とからなっている。通常、使用する内袋の最内面は低密度ポリエチレン樹脂又は直鎖状低密度ポリエチレン樹脂からなっている場合が多く、その場合は口栓のスパウトは低密度ポリエチレン樹脂製スパウトが使用されている。例えば、内容物が黴などの微生物に起因して変質し易いものの場合は、変質を防ぐために内容物を充填するときに高温で充填する必要が出てくる。低密度ポリエチレン樹脂製スパウトが使用されている場合は、充填密封時に低密度ポリエチレン樹脂製スパウトが熱変形し、シール不良が発生するなどの弊害があった。耐熱性が高い樹脂からなるスパウトを有する口栓を具備したパウチが提案されている（例えば、特許文献１参照。）。
【特許文献１】特開２００６−６９５５８号公報
【発明の開示】
【発明が解決しようとする課題】
【０００３】
しかしながら、前記提案されているパウチは、スパウトが耐熱性を有する樹脂からなっているために、パウチ本体にスパウトを熱融着する時に高温で熱融着する必要があり、取り付けるスピードが遅くなって生産効率が上がらないなどの問題があった。
【０００４】
本発明の課題は、袋本体への取り付け時に低温でシールして取り付けることができ、かつ、取り付け後に内容物を８０℃以上の温度で充填、密封しても熱変形しないスパウトを有する口栓付きの袋を提供することにある。
【課題を解決するための手段】
【０００５】
本発明の請求項１に係る発明は、外側用フィルムと内側用フィルムとを重ね合わせた二重フィルムからなり、周縁がシールされている袋本体の所定位置に、キャップとスパウトからなる口栓を取り付けた口栓付き袋において、該スパウトが、高耐熱性樹脂からなる中空管部の袋本体側の下端の外周に外側に突出する取り付け部を連設し、さらにその上方の外周に少なくとも、外側に突出する雄ネジ部を連設した形状で、かつ、該取り付け部が、内容物と接する側が中空管部と同一の樹脂からなる高耐熱層で、前記高耐熱層の内容物と接する面の反対側面に低耐熱性樹脂からなる低温シール性層を所定幅で積層した二層構成のものからなることを特徴とする口栓付き袋である。
【０００６】
本発明の請求項２に係る発明は、上記請求項１に係る発明において、前記高耐熱性樹脂が直鎖状低密度ポリエチレン樹脂又は密度０．９４ｇ／ｃｍ3 以上の高密度ポリエチレン樹脂で、前記低耐熱性樹脂が低密度ポリエチレン樹脂であることを特徴とする口栓付き袋である。
【発明の効果】
【０００７】
本発明の口栓付き袋は、外側用フィルムと内側用フィルムとを重ね合わせた二重フィル
ムからなり、周縁がシールされている袋本体の所定位置に、キャップとスパウトからなる口栓を取り付けた口栓付き袋において、該スパウトが、高耐熱性樹脂からなる中空管部の袋本体側の下端の外周に外側に突出する取り付け部を連設し、さらにその上方の外周に少なくとも、外側に突出する雄ネジ部を連設した形状で、かつ、該取り付け部が、内容物と接する側が中空管部と同一の樹脂からなる高耐熱層で、前記高耐熱層の内容物と接する面の反対側面に低耐熱性樹脂からなる低温シール性層を所定幅で積層した二層構成のものからなり、前記高耐熱性樹脂が直鎖状低密度ポリエチレン樹脂又は密度０．９４ｇ／ｃｍ3 以上の高密度ポリエチレン樹脂で、前記低耐熱性樹脂が低密度ポリエチレン樹脂であるので、スパウトの取り付け部を袋本体に取り付ける時に低温でシールして、変形することなく効率的に取り付けることができ、さらに、スパウトを取り付けた袋に内容物を８０℃以上の温度で充填密封してもスパウトが変形したりすることがない。
【発明を実施するための最良の形態】
【０００８】
本発明の口栓付き袋を実施の形態に沿って、以下に説明する。図１（ａ）は本発明の口栓付き袋の一実施形態を示す平面図であり、口栓付き袋（１）は、外側用フィルムと内側用フィルムとを重ね合わせた二重フィルムからなる袋本体（２）の周縁にヒートシール部（３）を設けており、さらに袋本体（２）の所定位置に口栓（３０）が円形シール部（４）の部分で接着されて取り付けられており、図１（ｂ）は（ａ）のＡ−Ａ′線断面図であり、口栓（３０）は、スパウト（１０）とキャップ（２０）からなっており、スパウト（１０）は、中空管部（１１）の袋本体側の下端の外周に外側に突出する取り付け部（１４）を有し、上方の外周に、キャップ（２０）をねじり合わせる為の、外側に突出する雄ネジ部（１２）と、外側に突出するハンドリング部（１３）を有する形状で、かつ、取り付け部（１４）は、内容物と接する側が高耐熱性樹脂からなる高耐熱層（１４ｂ）で、前記高耐熱層（１４ｂ）上に低耐熱性樹脂からなる低温シール性層（１４ａ）を所定幅で積層した二層構成になっている。さらに、スパウト（１０）の取り付け部（１４）の低温シール性層（１４ａ）の部分を外側用フィルム（１０１）の外側からシールしてなる円形シール部（４）を有している。なお、スパウト（１０）は袋本体側に開口部（４０）を有しており、外側用フィルム（１０１）と内側用フィルム（１０２）の間には空間（５０）を有している。なお、低温シール性層（１４ａ）は高耐熱層（１４ｂ）と同一幅、あるいは狭幅のいずれでも良い。
【０００９】
前記ハンドリング部（１３）は、スパウトを取り付けた袋を搬送する時等に使用する為に設けている。
【００１０】
前記スパウト（１０）の作成方法は、高耐熱性樹脂と低耐熱性樹脂の二種類の樹脂を用いて、中空管部（１１）、雄ネジ部（１２）、ハンドリング部（１３）及び取り付け部（１４）を同時に二色射出成形法で一体成形する。
【００１１】
前記取り付け部（１４）の低温シール性層（１４ａ）に使用する低耐熱性樹脂は、密度が０．９０〜０．９３ｇ／ｃｍ3 の低密度ポリエチレン樹脂であり、高耐熱層（１４ｂ）に使用する高耐熱性樹脂は、直鎖状低密度ポリエチレン樹脂又は密度が０．９４ｇ／ｃｍ3 以上の高密度ポリエチレン樹脂である。なお、直鎖状低密度ポリエチレン樹脂は低密度ポリエチレン樹脂と比べて耐熱性が高い。又、キャップ（２０）はポリエチレン樹脂又はポリプロピレン樹脂からなっている。
【００１２】
図２（ａ）は本発明の口栓付き袋に使用する外側用フィルムの一実施形態を示す側断面図であり、外側用フィルム（１０１）は、直鎖状低密度ポリエチレン樹脂フィルム又は密度０．８９〜０．９３ｇ／ｃｍ3 の低密度ポリエチレン樹脂フィルムからなっており、厚さが３０〜５０μｍのものが使用される。図２（ｂ）は外側用フィルムの他の実施形態を示す側断面図であり、外側用フィルム（１０１′）は、厚み方向に順に、樹脂フィルム層
（２０１）、接着剤層（２０３）、フィルム基材層（２００）、接着剤層（２０４）、樹脂フィルム層（２０２）を積層した構成になっている。
【００１３】
前記樹脂フィルム層（２０１、２０２）は、直鎖状低密度ポリエチレン樹脂フィルム又は密度０．８９〜０．９３ｇ／ｃｍ3 の低密度ポリエチレン樹脂フィルムからなっており、厚さは３０〜７０μｍのものが使用される。
【００１４】
前記フィルム基材層（２００）には、二軸延伸ナイロンフィルム、二軸延伸ポリエステルフィルム、二軸延伸ナイロンフィルム又は二軸延伸ポリエステルフィルムにアルミニウム金属、酸化珪素又は酸化アルミニウムからなる蒸着薄膜層を積層したバリア性積層フィルム、二軸延伸ナイロンフィルムに塩化ビニリデン樹脂をコートしたバリア性ナイロンフィルムなどが単独で使用される。勿論、前記各種フィルムを適宜組み合わせて貼り合わせた積層構成のフィルムを使用しても構わない。フイルムの厚さは適宜選定する。
【００１５】
前記接着剤層（２０４、２０５）には、一般的にポリウレタン系接着剤を使用する。通常、水酸基を持った主剤とイソシアネート基を持った硬化剤とを２液混合して使用する２液型接着剤が使用される。その積層方法は公知のグラビアコート方式で積層する。塗布量は１〜５ｇ／ｍ2（乾燥状態）が良い。
【００１６】
図３は本発明の口栓付き袋に使用する内側用フィルムの一実施形態を示す側断面図であり、内側用フィルム（１０２）は、直鎖状低密度ポリエチレン樹脂フィルム又は密度０．８９〜０．９３ｇ／ｃｍ3 の低密度ポリエチレン樹脂フィルムからなっており、フィルム厚は５０〜１００μｍのものが使用される。なお、直鎖状低密度ポリエチレン樹脂フィルムは低密度ポリエチレン樹脂フィルムに比べて、耐熱性が高いばかりでなく、フィルム強度、ヒートシール強度、ホットタック性、侠雑物シール性、耐油・耐薬品性などが優れており、内容量が多い場合や高温で内容物を充填する必要がある場合などに使用すると良い。
【００１７】
本発明の口栓付き袋は、上記記載の如く、スパウトが袋との取り付け部に低耐熱性樹脂からなる低温シール性層の部分を有しており、さらに、スパウトの前記低温シール性層以外の部分が高耐熱性樹脂からなっているので、袋に取り付ける時に取り付け部の低温シール性層の部分を外側用フィルムの外側から熱加圧し、シールすることで、低温でシールすることができ、スパウトの取り付け時の生産効率も向上し、シール不良などの問題が発生しない。さらに、内容物を高温で充填密封しても、スパウトが熱変形しない。
【図面の簡単な説明】
【００１８】
【図１】（ａ）は本発明の口栓付き袋の一実施形態を示す平面図であり、（ｂ）は（ａ）のＡ−Ａ′線断面図である。
【図２】（ａ）は本発明の口栓付き袋に使用する外側用フィルムの一実施形態を示す側断面図であり、（ｂ）は外側用フィルムの他の実施形態を示す側断面図である。
【図３】本発明の口栓付き袋に使用する内側用フィルムの一実施形態を示す側断面図である。
【符号の説明】
【００１９】
１…口栓付き袋
２…袋本体
３…ヒートシール部
４…円形シール部
１０…スパウト
１１…中空管部
１２…雄ネジ部
１３…ハンドリング部
１４…取り付け部
１４ａ…低温シール性層
１４ｂ…高耐熱層
２０…キャップ
３０…口栓
４０…開口部
５０…空間
１００…二重フィルム
１０１，１０１′…外側用フィルム
１０２…内側用フィルム
２００…フィルム基材層
２０１，２０２…樹脂フィルム層
２０３，２０４…接着剤層
【図１】
2008143586.tif 000003
【図２】
2008143586.tif 000004
【図３】
2008143586.tif 000005